(57)【要約】【課題】  ＣＣＤ駆動周波数を変化させたとしても、ＣＣＤ駆動周波数に応じた適切なタイミングでＣＣＤ出力信号のサンプルホールドを行えるようにする。【解決手段】  ＣＣＤ駆動周波数毎に、撮像駆動部１０３やアナログ信号処理部１０４に供給するタイミング信号の位相条件を定めたタイミング信号位相情報テーブルをメモリ部１１８に有し、ＣＣＤ駆動周波数の切替えを行っても、タイミング信号位相情報テーブルを参照してＣＣＤ駆動周波数に応じた位相条件を設定し、タイミング信号生成部１１７で生成されるタイミング信号の位相をタイミング信号位相変更部１１８にて適宜変更するようにして、ＣＣＤ駆動周波数を変化させた場合でも、ＣＣＤ駆動周波数に応じた適切なタイミングで撮像部１０２の駆動や撮像部１０２からの出力信号のサンプルホールドを行えるようにする。【選択図】  図１
2006042261.tif 000002
【特許請求の範囲】
【請求項１】
被写体の光学像を電気信号に変換する撮像手段を駆動する駆動手段と、
前記撮像手段の出力信号に所定の処理を施す信号処理手段と、
前記駆動手段に係る駆動周波数の基準となるとともに、周波数を変更可能な基本クロック信号を出力する基本クロック出力手段と、
前記基本クロック出力手段からの基本クロック信号に基づいて、前記駆動手段及び前記信号処理手段に供給するタイミング信号を生成し出力するタイミング信号制御手段と、
前記基本クロック信号の周波数毎に、前記タイミング信号に係る変更情報が定められたタイミング信号情報テーブルとを備え、
前記基本クロック出力手段より出力される基本クロック信号の周波数に応じて、前記タイミング信号制御手段は、生成したタイミング信号を前記変更情報に従って変更し出力することを特徴とする撮像装置。
【請求項２】
前記タイミング信号制御手段は、生成したタイミング信号の位相及びパルス幅の少なくとも一方を前記変更情報に従って変更することを特徴とする請求項１記載の撮像装置。
【請求項３】
前記タイミング信号制御手段は、前記基本クロック出力手段からの基本クロック信号に基づいて、前記タイミング信号を生成するタイミング信号生成手段と、
前記タイミング信号生成手段にて生成した前記タイミング信号を前記変更情報に従って変更するタイミング信号変更手段とを有することを特徴とする請求項１又は２記載の撮像装置。
【請求項４】
前記基本クロック出力手段は、前記基本クロック信号を生成し出力する基本クロック信号生成手段と、
前記基本クロック信号生成手段が生成する基本クロック信号の周波数を変更するクロック周波数変更手段とを有することを特徴とする請求項１〜３の何れか１項に記載の撮像装置。
【請求項５】
前記クロック周波数変更手段により基本クロック信号の周波数を変更した場合に、前記タイミング信号情報テーブルを参照し、当該周波数に応じた前記タイミング信号の変更情報を設定することを特徴とする請求項４記載の撮像装置。
【請求項６】
被写体の光学像を電気信号に変換する撮像手段と、前記撮像手段を駆動する駆動手段と、前記撮像手段の出力信号を処理する信号処理手段と、前記駆動手段に係る駆動周波数の基準となる基本クロックを生成する基本クロック生成手段と、前記基本クロック生成手段からの基本クロック信号に基づき前記駆動手段及び前記信号処理手段に対して供給するタイミング信号を生成するタイミング信号生成手段とを備えた撮像装置であって、
前記基本クロック生成手段が生成する基本クロック信号の周波数を変更するクロック周波数変更手段と、
前記タイミング信号生成手段の出力信号の位相を位相条件に応じて変更するタイミング信号位相変更手段と、
前記クロック周波数変更手段により変更される基本クロック信号の周波数毎に、前記タイミング信号位相変更手段で定められるタイミング信号位相情報テーブルとを有し、
前記クロック周波数変更手段により基本クロック信号の周波数を変更した場合に、前記タイミング信号位相情報テーブルを参照し、前記位相条件を設定することを特徴とする撮像装置。
【請求項７】
被写体の光学像を電気信号に変換する撮像手段と、前記撮像手段を駆動する駆動手段と、前記撮像手段の出力信号を処理する信号処理手段と、前記駆動手段に係る駆動周波数の基準となる基本クロックを生成する基本クロック生成手段と、前記基本クロック生成手段からの基本クロック信号に基づき前記駆動手段及び前記信号処理手段に対して供給するタイミング信号を生成するタイミング信号生成手段とを備えた撮像装置であって、
前記基本クロック生成手段が生成する基本クロック信号の周波数を変更するクロック周波数変更手段と、
前記タイミング信号生成手段の出力信号のパルス幅をパルス幅条件に応じて変更するタイミング信号パルス幅変更手段と、
前記クロック周波数変更手段により変更される基本クロック信号の周波数毎に、前記タイミング信号パルス幅変更手段で定められるタイミング信号パルス幅情報テーブルとを有し、
前記クロック周波数変更手段により基本クロック信号の周波数を変更した場合に、前記タイミング信号パルス幅情報テーブルを参照し、前記パルス幅条件を設定することを特徴とする撮像装置。
【請求項８】
前記タイミング信号は、前記撮像手段を駆動するための水平駆動パルス、リセットゲートパルス、前記撮像手段の出力信号をフィードスルー期間にてサンプルホールドする第１のサンプルホールドパルス、光出力期間にてサンプルホールドする第２のサンプルホールドパルス、及び前記撮像手段の出力信号をデジタル信号に変換するためのアナログデジタル変換タイミングパルスのうち、少なくとも１つを含むことを特徴とする請求項１〜７の何れか１項に記載の撮像装置。
【請求項９】
前記基本クロック信号の周波数変更が、該装置の動作モードである静止画単写撮影、静止画連写撮影、動画撮影、電子ビューファインダ表示、及び該装置の動作状態であるバッテリ残量のうち、少なくとも１つの情報をもとに行われることを特徴とする請求項１〜８の何れか１項に記載の撮像装置。
【請求項１０】
前記基本クロック信号の周波数を変更した場合、周波数変更表示を行うことを特徴とする請求項１〜９の何れか１項に記載の撮像装置。
【請求項１１】
被写体の光学像を電気信号に変換する撮像手段を駆動する駆動手段と、前記撮像手段の出力信号に所定の処理を施す信号処理手段とを有する撮像装置におけるタイミング信号の制御方法であって、
前記駆動手段に係る駆動周波数の基準となるとともに、周波数を変更可能な基本クロック信号を生成する基本クロック生成工程と、
前記基本クロック生成工程で生成される基本クロック信号に基づいて、前記駆動手段及び前記信号処理手段に供給するタイミング信号を生成し出力するタイミング信号制御工程とを有し、
前記タイミング信号制御工程にて、前記基本クロック信号の周波数毎に前記タイミング信号に係る変更情報を定めたタイミング信号情報テーブル内の前記基本クロック生成工程で生成された基本クロック信号の周波数に応じた変更情報に従い、生成したタイミング信号を変更し出力することを特徴とするタイミング信号の制御方法。
【発明の詳細な説明】
【技術分野】
【０００１】
本発明は、撮像装置、及びタイミング信号の制御方法に関し、特に、ＣＣＤ等の固体撮像素子で撮像した画像を記録及び再生可能な電子カメラ等に用いて好適なものである。
【背景技術】
【０００２】
近年、固体メモリ素子を有するメモリカードを記録媒体として、ＣＣＤ等の固体撮像素子で撮像した静止画像や動画像を記録及び再生する電子カメラ等の撮像装置が盛んに開発され、市販されている。
【０００３】
図８は、電子カメラ等の撮像装置における画像入力部の一般的な構成を示すブロック図である。
図８において、８０１は固体撮像素子であるＣＣＤセンサ、８０５はＣＣＤ駆動回路、８０２は相関２重サンプリング（以後、ＣＤＳ）回路、８０３は増幅器、８０４はアナログ−デジタル変換器（以後、ＡＤＣ）である。
【０００４】
ＣＣＤセンサ８０１は、ＣＣＤ駆動回路８０５から供給される水平転送パルス、リセットゲートパルス、垂直転送パルス、及び電子シャッターパルス等の各信号で駆動され、被写体の光学像を電気信号に変換する。ＣＣＤ駆動回路８０５から供給される各信号のうち、特に、水平転送パルスとリセットゲートパルスの各位相及びパルス幅は、ＣＣＤ出力の１画素周期信号波形に変化を与える。
【０００５】
ＣＣＤセンサ８０１の後段には、ＣＣＤ転送時に生じたリセットノイズ成分を除去するためのＣＤＳ回路８０２を有するのが一般的である。ＣＣＤセンサ８０１内部では、受光素子により露光、蓄積された電荷が転送パルスによって１画素分づつ出力部のフローティングキャパシタに転送され、１画素の信号がフローティングキャパシタから出力バッファに与えられて電圧信号に変換され、１画素単位の映像信号が順次出力されるようになされている。前記フローティングキャパシタは、１画素の信号を出力する度にリセットパルスによってクリアされる。
【０００６】
このようにＣＣＤセンサ８０１の出力信号は、１画素毎に、フローティングキャパシタのリセット動作により発生するリセット成分と、リセットパルスの相関ノイズが重畳する、フィードスルー部分と映像信号部分とからなる。前記ＣＤＳ回路８０２は、ＣＣＤセンサ８０１の出力信号のうち、フィードスルー部分の信号レベルと映像信号部分の信号レベルとの差分を求め、これによって相関ノイズ成分を映像信号から排除するノイズ除去回路である。
【０００７】
図９は一般的なＣＤＳ回路の基本構成を示すブロック図であり、図１０はＣＤＳ回路にて前記フィードスルー部分の信号レベルと前記映像信号部分の信号レベルをそれぞれ抽出するためのサンプルホールド回路の制御タイミングを示す図である。
【０００８】
図９及び図１０において、ＣＣＤＯＵＴはＣＣＤセンサの出力信号であり、ＳＨＰはリセットレベルを保持するフィードスルー期間ＴＰにおける信号をサンプルホールドするためのパルス信号であり、ＳＨＤは映像信号出力期間ＴＤにおける信号をサンプルホールドするためのパルス信号である。
ＣＤＳ回路は、直列接続されたサンプルホールド回路９０１と９０２、及びサンプルホールド回路９０３で、前記パルス信号ＳＨＰ、ＳＨＤに従ってＣＣＤセンサの出力信号ＣＣＤＯＵＴをサンプルホールドし、差分増幅器９０４でサンプルホールド回路９０２、９０３の各出力の差分がとられるように構成されている。
【０００９】
図８に戻り、ＣＤＳ回路８０２の出力撮像信号は、増幅器８０３によりＡＤＣ８０４の入力レンジに合わせて所定の信号レベルに増幅された後に、ＡＤＣ８０４でデジタル信号に変換され、さらに後段のデジタル信号処理回路（不図示）に伝送される。
【００１０】
ここで、近年、電子カメラ等の撮像装置は、画像の高画質化や高精細化の市場ニーズを受けて、撮影に係る解像度や動作スピードが年々高まる傾向にある。ところが、このような撮像装置は、高速連写機能や電子ビューファインダ（以後、ＥＶＦ）機能、更には動画撮影機能を有する機種が多く、これらの機能を実現するには、ＣＣＤ駆動周波数を高くする必要がある。しかし、撮像系の消費電力は周波数に比例するため、ＣＣＤ駆動周波数を高くすると消費電力が増加し、撮影可能枚数が大幅に減少してしまう。これに対して、撮像装置の動作状況に応じて、ＣＣＤ駆動周波数を可変するよう施したものがある（例えば、特許文献１参照。）。
【００１１】
【特許文献１】特開２００１−２６８４５３号公報
【発明の開示】
【発明が解決しようとする課題】
【００１２】
しかしながら、撮像装置において前記ＣＣＤ駆動周波数を可変する場合、以下に示すような問題がある。
上述したＣＤＳ回路で信号をサンプルホールドするタイミングは、撮像信号の信号対雑音比（以後、Ｓ／Ｎ）に大きく寄与するので、Ｓ／Ｎを最大にするようにサンプルホールドを行うための最適な位相やパルス幅は、ＣＣＤ駆動周波数により異なる場合がある。
また、前記水平転送パルスとリセットゲートパルスの各位相及びパルス幅はＣＣＤ出力の１画素周期信号波形に変化を与えるため、ＣＣＤ駆動周波数によりＣＣＤ出力信号波形が変化することで、Ｓ／Ｎを最大にするようにサンプルホールドを行うための最適な位相やパルス幅が異なる場合もある。
【００１３】
本発明は、ＣＣＤ駆動周波数を変化させたとしても、ＣＣＤ駆動周波数に応じた適切なタイミングでＣＣＤ出力信号のサンプルホールドを行えるようにすることを目的とする。
【課題を解決するための手段】
【００１４】
本発明の撮像装置は、被写体の光学像を電気信号に変換する撮像手段を駆動する駆動手段と、前記撮像手段の出力信号に所定の処理を施す信号処理手段と、前記駆動手段に係る駆動周波数の基準となるとともに、周波数を変更可能な基本クロック信号を出力する基本クロック出力手段と、前記基本クロック出力手段からの基本クロック信号に基づいて、前記駆動手段及び前記信号処理手段に供給するタイミング信号を生成し出力するタイミング信号制御手段と、前記基本クロック信号の周波数毎に、前記タイミング信号に係る変更情報が定められたタイミング信号情報テーブルとを備え、前記基本クロック出力手段より出力される基本クロック信号の周波数に応じて、前記タイミング信号制御手段は、生成したタイミング信号を前記変更情報に従って変更し出力することを特徴とする。
また、本発明の撮像装置は、被写体の光学像を電気信号に変換する撮像手段と、前記撮像手段を駆動する駆動手段と、前記撮像手段の出力信号を処理する信号処理手段と、前記駆動手段に係る駆動周波数の基準となる基本クロックを生成する基本クロック生成手段と、前記基本クロック生成手段からの基本クロック信号に基づき前記駆動手段及び前記信号処理手段に対して供給するタイミング信号を生成するタイミング信号生成手段とを備えた撮像装置であって、前記基本クロック生成手段が生成する基本クロック信号の周波数を変更するクロック周波数変更手段と、前記タイミング信号生成手段の出力信号の位相を位相条件に応じて変更するタイミング信号位相変更手段と、前記クロック周波数変更手段により変更される基本クロック信号の周波数毎に、前記タイミング信号位相変更手段で定められるタイミング信号位相情報テーブルとを有し、前記クロック周波数変更手段により基本クロック信号の周波数を変更した場合に、前記タイミング信号位相情報テーブルを参照し、前記位相条件を設定することを特徴とする。
また、本発明の撮像装置は、被写体の光学像を電気信号に変換する撮像手段と、前記撮像手段を駆動する駆動手段と、前記撮像手段の出力信号を処理する信号処理手段と、前記駆動手段に係る駆動周波数の基準となる基本クロックを生成する基本クロック生成手段と、前記基本クロック生成手段からの基本クロック信号に基づき前記駆動手段及び前記信号処理手段に対して供給するタイミング信号を生成するタイミング信号生成手段とを備えた撮像装置であって、前記基本クロック生成手段が生成する基本クロック信号の周波数を変更するクロック周波数変更手段と、前記タイミング信号生成手段の出力信号のパルス幅をパルス幅条件に応じて変更するタイミング信号パルス幅変更手段と、前記クロック周波数変更手段により変更される基本クロック信号の周波数毎に、前記タイミング信号パルス幅変更手段で定められるタイミング信号パルス幅情報テーブルとを有し、前記クロック周波数変更手段により基本クロック信号の周波数を変更した場合に、前記タイミング信号パルス幅情報テーブルを参照し、前記パルス幅条件を設定することを特徴とする。
また、本発明のタイミング信号の制御方法は、被写体の光学像を電気信号に変換する撮像手段を駆動する駆動手段と、前記撮像手段の出力信号に所定の処理を施す信号処理手段とを有する撮像装置におけるタイミング信号の制御方法であって、前記駆動手段に係る駆動周波数の基準となるとともに、周波数を変更可能な基本クロック信号を生成する基本クロック生成工程と、前記基本クロック生成工程で生成される基本クロック信号に基づいて、前記駆動手段及び前記信号処理手段に供給するタイミング信号を生成し出力するタイミング信号制御工程とを有し、前記タイミング信号制御工程にて、前記基本クロック信号の周波数毎に前記タイミング信号に係る変更情報を定めたタイミング信号情報テーブル内の前記基本クロック生成工程で生成された基本クロック信号の周波数に応じた変更情報に従い、生成したタイミング信号を変更し出力することを特徴とする。
【発明の効果】
【００１５】
本発明によれば、タイミング信号情報テーブルを参照して、基本クロック信号の基準となる駆動周波数に応じた変更情報に従い駆動手段及び信号処理手段に供給するタイミング信号を適宜変更し出力するので、駆動周波数を変化させても、その駆動周波数に応じた適切なタイミングで撮像手段の駆動及び撮像手段の出力信号である撮像信号のサンプルホールドを行うことができ、撮像信号のＳ／Ｎ劣化を抑圧して、高品位な撮像画像を生成することができる。
【発明を実施するための最良の形態】
【００１６】
以下、本発明の実施形態を図面に基づいて説明する。
【００１７】
（第１の実施形態）
図１は、本発明の第１の実施形態による撮像装置の構成例を示すブロック図である。なお、以下ではデジタルカメラを一例として説明するが、これに限定されるものではない。
【００１８】
図１において、１０１は被写体像を結像する撮像光学系である。１０２は撮像光学系１０１により結像された被写体像を電気信号に変換して出力する撮像部であり、１０３は各信号を供給し撮像部１０２を駆動するための撮像駆動部である。１０４は撮像部１０２の出力信号に所定の処理を施すアナログ信号処理部であり、１０５はアナログ信号処理部１０４の出力であるアナログ画像信号をデジタル画像信号に変換するＡＤＣ部である。
【００１９】
１０６はＡＤＣ部１０５によりデジタル画像信号に変換された画像信号に対して、ホワイトバランス調整、γ補正、画素補間等の画像処理を行う信号処理部である。１０７はデジタル画像信号を一時的に蓄えるためのＤＲＡＭ等で構成されたフレームメモリ部であり、１０８はフレームメモリ部１０７に格納されたデジタル画像信号をＪＰＥＧ等の圧縮手法により圧縮する圧縮部である。圧縮部１０８での圧縮動作は、撮影時のレリーズ動作に伴って開始される。１０９は圧縮部１０８にて圧縮されたデジタル画像信号を記憶するフラッシュメモリ等の記録メディア部である。
【００２０】
１１０はフレームメモリ部１０７に格納されたデジタル画像信号をＮＴＳＣやＰＡＬ信号に変換するＮＴＳＣ／ＰＡＬエンコーダ部であり、１１１はＮＴＳＣ／ＰＡＬエンコーダ部１１０にてＮＴＳＣ又はＰＡＬ信号に変換された画像信号を表示する表示部（例えば、電子ビューファインダ）である。１１２は撮像装置（デジタルカメラ）各部を制御するシステム制御部である。１１３は後述する情報テーブル等を格納するメモリ部であり、１１４はユーザーが撮像装置に対する各種操作を行うための操作部である。
【００２１】
１１５は、撮像駆動部１０３、アナログ信号処理部１０４、及びＡＤＣ部１０５等の動作に係るＣＣＤ駆動周波数の基準となる基本クロック信号を生成し出力する基本クロック生成部である。１１６は基本クロック生成部１１５が出力する基本クロック信号の周波数を変更するクロック周波数変更部である。
【００２２】
１１７はクロック周波数変更部１１６により定められた周波数で基本クロック生成部１１５から供給される基本クロック信号に基づいて、撮像駆動部１０３、アナログ信号処理部１０４、及びＡＤＣ部１０５に供給するタイミング信号を生成するタイミング信号生成部である。１１８はタイミング信号生成部１１７の出力信号の位相を変更するタイミング信号位相変更部である。
【００２３】
ここで、クロック周波数変更部１１６、タイミング信号生成部１１７、及びタイミング信号位相変更部１１８は、システム制御部１１２により制御されている。
なお、表示部１１１は、画像信号に係る画像と、操作部１１４での操作項目や現在のデジタルカメラの動作モードや状態等の情報を同時に表示可能であるとともに、ＣＣＤ駆動周波数変更時の表示も行うことができる。
【００２４】
図２は、タイミング信号生成部１１７の構成例を示す図である。
図２において、２０１は、外部（図１に示した基本クロック生成部１１５）から入力される基本クロック信号を１／２に分周する分周部である。なお、以下では、分周部２０１により分周され出力されるクロック信号をクロック信号ＭＣＫＯと称する。
【００２５】
２０２は、クロック信号ＭＣＫＯに基づいてＣＣＤ駆動のための各種信号を生成するＣＣＤ駆動信号発生部であり、２０３は、クロック信号ＭＣＫＯに基づいてアナログ信号処理やＡＤＣ制御のための各種信号を生成する映像信号処理制御信号発生部である。２０４は、前記システム制御部１１２からの制御信号を受け取るためのシリアルＩ／Ｆ部である。つまり、タイミング信号生成部１１７は、システム制御部１１２により制御されている。
【００２６】
ＣＣＤ駆動信号発生部２０２は、分周されたクロック信号ＭＣＫＯの立ち上がりを基準とした位相で、デジタルカメラの動作モード毎に決められた各信号を生成し、撮像駆動部１０３に供給する。ＣＣＤ駆動信号発生部２０２にて生成される信号には、水平転送パルス、リセットゲートパルス、垂直転送パルス、及び電子シャッターパルスを含む。
【００２７】
ここで、前記水平駆動パルスとリセットゲートパルスについては、タイミング信号位相変更部１１８にてその内部に備えるアナログ遅延素子やデジタル遅延処理回路等により、システム制御部１１２からの指令に基づいて、位相が適宜変更され撮像駆動部１０３に供給される。言い換えれば、ＣＣＤ駆動信号発生部２０２で生成される水平駆動パルスとリセットゲートパルスは、タイミング信号位相変更部１１８にてクロック信号ＭＣＫＯの立ち上がり基準から所定の位相条件とした後に撮像駆動部１０３に供給される。
【００２８】
また、映像信号処理制御信号発生部２０３は、クロック信号ＭＣＫＯを基準としたデジタルカメラの動作モード毎に決められた各信号を生成し、アナログ信号処理部１０４やＡＤＣ部１０５に供給する。映像信号処理制御信号発生部２０３にて生成される信号には、サンプルホールドを行うためのパルス信号ＳＨＰ、ＳＨＤ、ＡＤＣ部１０５に係るタイミングパルス信号ＡＤＣＬＫ、及び信号ＰＢＣＬＫ、ＣＬＰＯＢ等を含む。
【００２９】
ここで、パルス信号ＳＨＰ、ＳＨＤ、タイミングパルス信号ＡＤＣＬＫについては、タイミング信号位相変更部１１８内のアナログ遅延素子やデジタル遅延処理回路等により、システム制御部１１２からの指令に基づいて、位相が適宜変更されアナログ信号処理部１０４やＡＤＣ部１０５に供給される。言い換えれば、映像信号処理制御信号発生部２０３で生成されるパルス信号ＳＨＰ、ＳＨＤ、タイミングパルス信号ＡＤＣＬＫは、タイミング信号位相変更部１１８にてクロック信号ＭＣＫＯの立ち上がり基準から所定の位相条件とした後にアナログ信号処理部１０４やＡＤＣ部１０５に供給される。
【００３０】
これらの位相条件は、図４に一例を示すようなタイミング信号位相情報テーブルとしてメモリ部１１３に予め格納されており、このタイミング信号位相情報テーブルを参照して設定される。
図４は、タイミング信号位相情報テーブルの一例を示す図である。
図４に示されるように、タイミング信号位相情報テーブルには、ＣＣＤ駆動周波数毎に、水平駆動パルス、リセットゲートパルス、パルス信号ＳＨＰ、ＳＨＤ、及びタイミングパルス信号ＡＤＣＬＫの位相条件が規定されている。
【００３１】
ここで、水平駆動パルス、リセットゲートパルス、パルス信号ＳＨＰ、ＳＨＤ、及びタイミングパルス信号ＡＤＣＬＫなどのタイミング信号の位相を、ＣＣＤ駆動周波数毎に変更する理由について説明する。
【００３２】
図３は、撮像部１０２より出力される出力信号の波形例を示した図であり、図１０に出力信号の波形を示したものに対してＣＣＤ駆動周波数を２倍にしたものである。
図３に示されるように、ＣＣＤ出力信号ＣＣＤＯＵＴの１画素周期はＣＣＤ駆動周波数に比例するのに対し、光出力信号の立ち上がり及び立ち下り時間は、撮像部１０２のＣＣＤ内部における転送段の転送効率や出力段バッファアンプのスリューレート特性に依存する。
【００３３】
そのため、ＣＣＤ駆動周波数を高くする場合には、例えば、各ＣＣＤ駆動パルス信号のうち、リセットゲートパルスの位相を進めて映像信号期間ＴＰを広げることで、アナログ信号処理部１０４でのタイミングマージンを増大させることができる場合がある。このように、ＣＣＤ出力信号ＣＣＤＯＵＴの波形が変化し、撮像信号のＳ／Ｎを最大にするようにサンプルホールドを行うための最適な位相が異なる場合がある。
【００３４】
したがって、第１の実施形態では、例えば図４に示したタイミング信号位相情報テーブルを有し、ＣＣＤ駆動周波数の切替えを行っても、ＣＣＤ駆動周波数毎にタイミング信号位相情報テーブルを参照して位相条件を設定し、タイミング信号生成部１１７で生成されるタイミング信号の位相をタイミング信号位相変更部１１８にて適宜変更する。
【００３５】
これにより、撮像装置において、高速連写撮影、ＥＶＦ表示、動画撮影等を行うために静止画単写撮影時よりＣＣＤ駆動周波数を高くした場合であっても、ＣＣＤ駆動周波数に応じた最適な位相としたタイミング信号に基づき、ＣＣＤ駆動やＣＣＤ出力信号のサンプルホールドを行うことができる。
【００３６】
また、撮像装置において、バッテリ残量が低下して、単位時間あたりの撮影可能枚数が減少してもトータルの撮影可能枚数を増加させるために、静止画単写撮影時よりＣＣＤ駆動周波数を低くした場合や、ＣＣＤ駆動周波数を静止画単写撮影時の１／２にするがＣＣＤを水平加算動作させることで、実質的なフレームレートは落とさずにＥＶＦ表示を行う場合であっても、ＣＣＤ駆動周波数に応じた最適な位相としたタイミング信号に基づき、ＣＣＤ駆動やＣＣＤ出力信号のサンプルホールドを行うことができる。
【００３７】
したがって、ＣＣＤ駆動周波数を変化させた場合でも、ＣＣＤ駆動周波数に応じた適切なタイミングでＣＣＤ駆動やＣＣＤ出力信号のサンプルホールドを行うことができ、撮像信号のＳ／Ｎ劣化を抑圧して、高品位な撮像画像を生成することができる。
【００３８】
（第２の実施形態）
次に、第２の実施形態について説明する
図５は、本発明の第２の実施形態による撮像装置の構成例を示すブロック図である。なお、以下では第１の実施形態と同様にデジタルカメラを一例として説明するが、これに限定されるものではない。また、この図５において、図１に示したブロック等と同一の機能を有するブロック等には同一の符号を付し、重複する説明は省略する。
【００３９】
図５において、５１８はタイミング信号生成部１１７の出力信号のパルス幅を変更するタイミング信号パルス幅変更部である。
【００４０】
図５におけるタイミング信号生成部１１７の構成は、図２に示した第１の実施形態におけるタイミング信号生成部１１７と同様であるが、ＣＣＤ駆動信号発生部２０２は、デジタルカメラの動作モード毎に決められたパルス幅の各信号を生成し、撮像駆動部１０３に供給する。
【００４１】
ここで、ＣＣＤ駆動信号発生部２０２で生成される水平駆動パルスとリセットゲートパルスについては、タイミング信号パルス幅変更部５１８にてその内部に備えるアナログ遅延素子やデジタル遅延処理回路等により、システム制御部１１２からの指令に基づいて、パルス幅が適宜変更され撮像駆動部１０３に供給される。言い換えれば、水平駆動パルスとリセットゲートパルスは、タイミング信号パルス幅変更部５１８にて所定のパルス幅条件とした後に撮像駆動部１０３に供給される。
【００４２】
また、映像信号処理制御信号発生部２０３は、デジタルカメラの動作モード毎に決められたパルス幅の各信号を生成し、アナログ信号処理部１０４やＡＤＣ部１０５に供給する。
【００４３】
ここで、映像信号処理制御信号発生部２０３で生成されるパルス信号ＳＨＰ、ＳＨＤ、タイミングパルス信号ＡＤＣＬＫについては、タイミング信号パルス幅変更部５１８内のアナログ遅延素子やデジタル遅延処理回路等により、システム制御部１１２からの指令に基づいて、パルス幅が適宜変更されアナログ信号処理部１０４やＡＤＣ部１０５に供給される。言い換えれば、パルス信号ＳＨＰ、ＳＨＤ、タイミングパルス信号ＡＤＣＬＫは、タイミング信号パルス幅変更部５１８にて所定のパルス幅条件とした後にアナログ信号処理部１０４やＡＤＣ部１０５に供給される。
【００４４】
これらの位相条件は、図７に一例を示すようなタイミング信号パルス幅情報テーブルとしてメモリ部１１３に予め格納されており、このタイミング信号パルス幅情報テーブルを参照して設定される。
図７は、タイミング信号パルス幅情報テーブルの一例を示す図である。
図７に示されるように、タイミング信号パルス幅情報テーブルには、ＣＣＤ駆動周波数毎に、水平駆動パルス、リセットゲートパルス、パルス信号ＳＨＰ、ＳＨＤ、及びタイミングパルス信号ＡＤＣＬＫのパルス幅条件が規定されている。
【００４５】
ここで、水平駆動パルス、リセットゲートパルス、パルス信号ＳＨＰ、ＳＨＤ、及びタイミングパルス信号ＡＤＣＬＫなどのタイミング信号のパルス幅を、ＣＣＤ駆動周波数毎に変更する理由について説明する。
【００４６】
図６は、撮像部１０２より出力される出力信号の波形例を示した図であり、図４に示したものに対してリセットゲートパルスの位相を進めたものである。
図６から明らかなように、リセットゲートパルスの位相を進めたことで、フィードスルー部分と映像信号部分の時間幅がほぼ等しくなり、アナログ信号処理部１０４でのタイミングマージンが増大できているのがわかる。しかし、図１０に示したものとの比較からわかるように、ＣＣＤ駆動周波数を高くすると、フィードスルー部分や映像信号部分の時間幅が短くなり、アナログ信号処理部１０５でのタイミング条件が厳しくなってしまう。
【００４７】
そのため、ＣＣＤ駆動周波数を高くする場合には、例えば、各ＣＣＤ駆動パルス信号のうち、リセットゲートのパルス幅を狭め、フィードスルー部分や映像信号部分の時間幅を長くするのが有効な場合がある。ＣＣＤ駆動周波数を高くすると、ＣＣＤ出力信号ＯＵＴの波形が変化し、撮像信号のＳ／Ｎを最大にするようにサンプルホールドを行うための最適なパルス幅が異なる場合がある。
【００４８】
したがって、第２の実施形態では、例えば図７に示したタイミング信号パルス幅情報テーブルを有し、ＣＣＤ駆動周波数の切替えを行っても、ＣＣＤ駆動周波数毎にタイミング信号パルス幅情報テーブルを参照してパルス幅条件を設定し、タイミング信号生成部１１７で生成されるタイミング信号のパルス幅をタイミング信号パルス幅変更部５１８にて適宜変更する。
【００４９】
これにより、撮像装置において、高速連写撮影、ＥＶＦ表示、動画撮影等を行うために静止画単写撮影時よりＣＣＤ駆動周波数を高くした場合であっても、ＣＣＤ駆動周波数に応じた最適なパルス幅としたタイミング信号に基づき、ＣＣＤ駆動やＣＣＤ出力信号のサンプルホールドを行うことができる。
【００５０】
また、撮像装置において、バッテリ残量が低下して、単位時間あたりの撮影可能枚数が減少してもトータルの撮影可能枚数を増加させるために、静止画単写撮影時よりＣＣＤ駆動周波数を低くした場合や、ＣＣＤ駆動周波数を静止画単写撮影時の１／２にするがＣＣＤを水平加算動作させることで、実質的なフレームレートは落とさずにＥＶＦ表示を行う場合であっても、ＣＣＤ駆動周波数に応じた最適なパルス幅としたタイミング信号に基づき、ＣＣＤ駆動やＣＣＤ出力信号のサンプルホールドを行うことができる。
【００５１】
したがって、ＣＣＤ駆動周波数を変化させた場合でも、ＣＣＤ駆動周波数に応じた適切なタイミングでＣＣＤ駆動やＣＣＤ出力信号のサンプルホールドを行うことができ、撮像信号のＳ／Ｎ劣化を抑圧して、高品位な撮像画像を生成することができる。
【００５２】
なお、上述した第１の実施形態では、タイミング信号生成部１１７で生成されたタイミング信号の位相をタイミング信号位相変更部１１８で変更し、第２の実施形態では、タイミング信号生成部１１７で生成されたタイミング信号のパルス幅をタイミング信号パルス幅変更部５１８で変更するようにしているが、タイミング信号生成部１１７で生成されたタイミング信号の位相及びパルス幅の双方を変更するようにしても良い。
【００５３】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５４】
また、この場合、前記ソフトウェアのプログラムコード自体が上述した実施形態の機能を実現することになり、そのプログラムコード自体は本発明を構成する。また、そのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５５】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５８】
【図１】本発明の第１の実施形態による撮像装置の構成例を示すブロック図である。
【図２】タイミング信号生成部の構成例を示す図である。
【図３】第１の実施形態における撮像装置の動作を説明するための図である。
【図４】タイミング信号位相情報テーブルの一例を示す図である。
【図５】本発明の第２の実施形態による撮像装置の構成例を示すブロック図である。
【図６】第２の実施形態における撮像装置の動作を説明するための図である。
【図７】タイミング信号パルス幅情報テーブルの一例を示す図である。
【図８】従来の撮像装置における画像入力部の構成を示すブロック図である。
【図９】ＣＤＳ回路の基本構成を示すブロック図である。
【図１０】ＣＤＳ回路の動作を説明するための図である。
【符号の説明】
【００５９】
１０２  撮像部
１０３  撮像駆動部
１０４  アナログ信号処理部
１０５  ＡＤＣ部
１１２  システム制御部
１１３  メモリ部
１１５  基本クロック生成部
１１６  クロック周波数変更部
１１７  タイミング信号生成部
１１８  タイミング信号位相変更部
５１８  タイミング信号パルス幅変更部
【図１】
2006042261.tif 000003
【図２】
2006042261.tif 000004
【図３】
2006042261.tif 000005
【図４】
2006042261.tif 000006
【図５】
2006042261.tif 000007
【図６】
2006042261.tif 000008
【図７】
2006042261.tif 000009
【図８】
2006042261.tif 000010
【図９】
2006042261.tif 000011
【図１０】
2006042261.tif 000012